(57)【要約】【課題】電源トランスからパチンコ台等の遊技機への電力供給を一定に安定させるのに好適な電源調整装置とこの装置を用いた遊技機電力供給システムを提供する。【解決手段】電源トランスに電圧降下が生じると、スレッシュホールド電圧Ｓ３がアップし、波形調整パルスＳ５のパルス幅が短くなるとともに、その短いパルス幅分だけ矩形波電圧の波形Ｓ１のパルス幅がカットされるようにする。これにより、電源トランスに電圧降下が生じた直後から直ちに、遊技機に供給される矩形波電圧の波形Ｓ１のパルス幅が長くなり、それだけ電圧降下前より多めに電源トランスから遊技機へ電流が供給されるようにする。【選択図】図５
2007167315.tif 000002
【特許請求の範囲】
【請求項１】
遊技機と、該遊技機に対して交流安定化電源からの矩形波電圧を降圧して供給する電源トランスとの間に接続される電源調整装置であって、
前記電源調整装置は、
前記電源トランスの電圧降下量に応じて電圧レベルがアップする構成のスレッシュホールド電圧を生成するスレッシュホールド生成手段と、
前記スレッシュホールド電圧の電気信号と比較されるノコギリ波または三角波等の比較波を生成する比較波生成手段と、
前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段と、
前記電源トランスから遊技機へ供給される前記矩形波電圧の波形を、前記波形調整パルスのパルス幅分だけカットする波形調整手段とを備えること
を特徴とする電源調整装置。
【請求項２】
前記電源調整装置は、前記電源トランスの２次コイルに接続される入力端子と遊技機に接続される出力端子とを結ぶ主ラインを有し、
前記スレッシュホールド生成手段は、前記主ラインの出力端子側の出力電圧をトランスとブリッジダイオードで整流し、この整流された出力電圧を基に、シャントレギュレータとフォトカプラとで、スレッシュホールド電圧を生成する回路で構成されること
を特徴とする請求項１に記載の電源調整装置。
【請求項３】
前記比較波生成手段で生成される比較波は、コンデンサのチャージと急速ディスチャージ用ダイオードとにより形成されるノコギリ波であること
を特徴とする請求項１に記載の電源調整装置。
【請求項４】
前記遊技機はパチンコ台であること
を特徴とする請求項１に記載の電源調整装置。
【請求項５】
交流安定化電源からの出力電圧を電源トランスで降圧して遊技機へ供給する遊技機電力供給システムにおいて、
前記電源トランスから前記パチンコ台への電力供給ラインの途中に、電源調整装置を接続し、
前記電源調整装置は、
前記電源トランスの電圧降下量に応じて電圧レベルがアップする構成のスレッシュホールド電圧を生成するスレッシュホールド生成手段と、
前記スレッシュホールド電圧の電気信号と比較されるノコギリ波または三角波等の比較波を生成する比較波生成手段と、
前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段と、
前記電源トランスから遊技機へ供給される前記矩形波電圧の波形を、前記波形調整パルスのパルス幅分だけカットする波形調整手段とを備えること
を特徴とする遊技機電力供給システム。
【発明の詳細な説明】
【技術分野】
【０００１】
本発明は、パチンコ台等の遊技機に電力を供給するシステムの一部として使用される電源調整装置とこの装置を用いた遊技機電力供給システムに関する。
【背景技術】
【０００２】
図６は従来のパチンコ台電力供給システムの概略構成を示したものである。同図のパチンコ台電力供給システムＳでは、店内の各島Ａに設置されるパチンコ台Ｂごとに電源トランス２を設けるとともに、交流安定化電源１からの出力電圧を前記電源トランス２で降圧してパチンコ台Ｂへ供給するようにしている。（パチンコ台ごとに電源トランスを設けるシステム構成については、例えば、特許文献１を参照）
【０００３】
しかしながら、近年のパチンコ台Ｂの中には、例えば、大当たり時だけでなく通常プレー時でも、多数の電球Ｂ１が点滅するものなど、大電流を必要とし、消費電流が周期的または一時的に大きく変動するものもある。このような状況下において、上記のような従来のパチンコ台電力供給システムＳでは、その電源トランス２の容量は予め一定に固定されている。このため、従来のパチンコ台電力供給システムによると、上記のようなパチンコ台Ｂにおける消費電流の変動に応じて電源トランス２に周期的または一時的な電圧降下が生じ、交流安定化電源１が設けられているのに電源トランス２からパチンコ台Ｂへの電力供給が一定に安定しない、という問題点がある。
【０００４】
【特許文献１】特許第２６７００２９号公報
【発明の開示】
【発明が解決しようとする課題】
【０００５】
本発明は上記問題点を解決するためになされたもので、その目的とするところは、電源トランスからパチンコ台等の遊技機への電力供給を一定に安定させるのに好適な電源調整装置とこの装置を用いた遊技機電力供給システムを提供することにある。
【課題を解決するための手段】
【０００６】
上記目的を達成するために、図１のクレーム対応図に示した通り、本発明の電源調整装置は、遊技機と、該遊技機に対して交流安定化電源（１）からの矩形波電圧を降圧して供給する電源トランス（２）との間に接続される電源調整装置（３）であって、前記電源調整装置（３）は、前記電源トランスの電圧降下量に応じて電圧レベルがアップする構成のスレッシュホールド電圧を生成するスレッシュホールド生成手段（３０１）と、前記スレッシュホールド電圧の電気信号と比較されるノコギリ波または三角波等の比較波を生成する比較波生成手段（３０２）と、前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段（３０３）と、前記電源トランスから遊技機へ供給される前記矩形波電圧の波形を、前記波形調整パルスのパルス幅分だけカットする波形調整手段（３０４）とを備えることを特徴とするものである。
【０００７】
前記本発明の電源調整装置において、同装置は、前記電源トランスの２次コイルに接続される入力端子と遊技機に接続される出力端子とを結ぶ主ラインを有し、前記スレッシュホールド生成手段は、前記主ラインの出力端子側の出力電圧をトランスとブリッジダイオードで整流し、この整流された出力電圧を基に、シャントレギュレータとフォトカプラとで、スレッシュホールド電圧を生成する回路で構成されるものとしてよい。
【０００８】
前記本発明の電源調整装置において、前記比較波生成手段で生成される比較波は、コンデンサのチャージと急速ディスチャージ用ダイオードとにより形成されるノコギリ波であってよい。
【０００９】
前記本発明の電源調整装置において、前記波形調整手段は、２つの電界効果トランジスタを用いた回路で構成されるものとしてよい。
【００１０】
前記本発明の電源調整装置において、前記遊技機はパチンコ台としてよいが、これに限定されることはなく、例えばスロット台なども前記遊技機に含まれる。
【００１１】
また、上記目的を達成するために、本発明の遊技機電力供給システムは、交流安定化電源からの出力電圧を電源トランスで降圧して遊技機へ供給する遊技機電力供給システムにおいて、前記電源トランスから前記パチンコ台への電力供給ラインの途中に、電源調整装置を接続し、前記電源調整装置は、前記電源トランスの電圧降下量に応じて電圧レベルがアップする構成のスレッシュホールド電圧を生成するスレッシュホールド生成手段と、前記スレッシュホールド電圧の電気信号と比較されるノコギリ波または三角波等の比較波を生成する比較波生成手段と、前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段と、前記電源トランスから遊技機へ供給される前記矩形波電圧の波形を、前記波形調整パルスのパルス幅分だけカットする波形調整手段とを備えることを特徴とするものである。
【００１２】
前記本発明の電源調整装置および遊技機電力供給システムにおいては、電源トランスに電圧降下が生じると、スレッシュホールド電圧が上がり、波形調整パルスのパルス幅が短くなる。そして、その短いパルス幅分だけ矩形波電圧の波形のパルス幅がカットされることから、電源トランスに電圧降下が生じた直後から直ちに、遊技機に供給される矩形波電圧のパルス幅が長くなり、それだけ電圧降下前より多めに電源トランスから遊技機へ電流が供給されるようになる。この状態から、電源トランスの電圧降下がなくなると、今度はスレッシュホールド電圧が下がり、波形調整パルスのパルス幅が長くなる。そして、この長いパルス幅分だけ矩形波電圧のパルス幅がカットされるので、電源トランスの電圧降下がなくなった直後から直ちに、遊技機に供給される矩形波電圧の波形のパルス幅は電圧降下前の元の長さに戻り、遊技機側への電流供給量が電圧降下前の定常状態に復帰する。
【発明の効果】
【００１３】
本発明の電源調整装置および遊技機電力供給システムにあっては、上記のような構成からなるスレッシュホールド回路、波形回路、比較回路および波形調整回路の採用を採用したことにより、前述の通り、電源トランスに電圧降下が生じたときには、電圧降下前より多めに電流が電源トランスから遊技機へ供給され、また、その電圧降下がなくなると、電源トランスから遊技機への電流供給量が電圧降下前の定常状態に復帰するから、電源トランスから遊技機への電力供給を一定に安定させることができるという作用効果を奏する。
【発明を実施するための最良の形態】
【００１４】
以下、本発明を実施するための最良の形態について、添付した図面を参照しながら詳細に説明する。
【００１５】
図２は本発明の一実施形態である電源調整装置を組み込んだパチンコ台電力供給システムの説明図、図３と図４は図２の電源調整装置の回路図、図５は図２の電源調整装置の動作説明図である。尚、図３のａで示す部品と図４のａで示す部品は同一部材であり、また図３のｂ部と図４のｂ部とは接続され、図３中の２つのｃ部は互いに接続されている。
【００１６】
図２のパチンコ台電力供給システムＳは、一つの島Ａに配置されている複数のパチンコ台Ｂに電力を供給するシステムであって、交流安定化電源１と、複数の電源トランス２及び電源調整装置３から構成されている。
【００１７】
交流安定化電源１は、サイン波形の商用電源ＡＣ１００Ｖを矩形波に変換して各電源トランス２へ供給する。電源トランス２は、島Ａのパチンコ台Ｂごとに、個別独立にかつ該パチンコ台Ｂの近傍に設けられるとともに、交流安定化電源１からの出力電圧（ＡＣ１００Ｖの矩形波）を２６Ｖに降圧して電源調整装置３の入力部（ＩＮ）へ供給する。図５（Ａ）に示したように、この２６Ｖ供給電圧の波形Ｓ１は、交流安定化電源１からの出力電圧波形と相似形の矩形波である。
【００１８】
電源調整装置３は電源トランス２からパチンコ台Ｂへの電力供給ラインＬの途中に接続される。図３に示したように、この電源調整装置３の内部には、電源トランス２の２次コイルに接続される入力端子ＩＮと、パチンコ台Ｂに接続される出力端子ＯＵＴとを結ぶ主ラインＬ１が設けられており、この主ラインＬ１の出力端子ＯＵＴ側から引き出された第１の分岐ラインＬ２には、図４に示す回路構成のスレッシュホールド生成回路（スレッシュホールド生成手段）４が接続され、また、前記主ラインＬ１の入力端子ＩＮ側から引き出された第２の分岐ラインＬ３には、図３に示す回路構成の波形生成回路（比較波生成手段）５が接続されている。そして、更に、そのスレッシュホールド生成回路４と波形生成回路５の後段に、比較回路（比較手段）６が設けられ、この比較回路６の後段に波形調整回路（波形調整手段）７が設けられている。
【００１９】
スレッシュホールド生成回路４は、出力端子ＯＵＴ側の出力電圧を、感度を上げるためのトランス４Ａとブリッジダイオード４Ｂで整流し、かつ、この整流された出力電圧に基づいてシャントレギュレータ４Ｃとフォトカプラ４Ｄとで図５（Ｃ）に示すスレッシュホールド電圧Ｓ３を生成する。この生成されるスレッシュホールド電圧Ｓ３のレベルは、スイッチングレギュレータ４Ｃとフォトカプラ４Ｄの動作により、電源トランス２の電圧降下量に応じてアップするものとなる。
【００２０】
比較波生成回路５は、前記スレッシュホールド電圧の電気信号と比較されるノコギリ波または三角波を生成する。本実施形態においては、図５（Ｃ）に示すようなノコギリ波Ｓ４を波形生成回路５で生成している。このノコギリ波Ｓ４の斜辺部分はコンデンサ５Ａのチャージにより形成され、また、ノコギリ波Ｓ４の垂直部分は急速ディスチャージ用ダイオード５Ｂにより形成される。
【００２１】
比較回路６には、前記スレッシュホールド生成回路４で生成されたスレッシュホールド電圧Ｓ３の電気信号と、前記波形生成回路５で生成されたノコギリ波Ｓ４の電気信号とが入力される。そして、この比較回路６は、入力された前記２つの電気信号を比較し、比較の結果として波形調整パルスＳ５を出力する。この出力される波形調整パルスＳ５は、図５（Ｄ）に示したように、スレッシュホールド電圧Ｓ３のレベルでノコギリ波Ｓ４をスライスしたときのスライス幅に相当する長さのパルスである。尚、比較回路６から出力される波形調整パルスＳ５は波形調整回路７に入力される。
【００２２】
波形調整回路７は、電源トランス２から供給される矩形波電圧の波形Ｓ１を、前記波形調整パルスＳ５のパルス幅分だけカットする手段として設けられている。かかる波形調整回路７の具体的な構成として、本実施形態では、２つの電界効果トランジスタ（ＦＥＴ）７０Ａ、７０Ｂを主ラインＬ１に組み込む構成を採用している。この組み込み構成は、図３に示した通り、両電界効果トランジスタ７０Ａ、７０Ｂのソース端子Ｓ、Ｓどうしを接続し、第１の電界効果トランジスタ７０Ａのドレイン端子Ｄは主ラインＬ１の入力端子ＩＮ側に接続する一方、第２の電界効果トランジスタ７０Ｂのドレイン端子Ｄは主ラインＬ１の出力端子ＯＵＴ側に接続し、更に、その両電界効果トランジスタ７０Ａ、７０Ｂの各ゲート端子Ｇ、ＧはいずれもＮＯＴ回路７１を介して比較回路６の出力端子６Ａに接続されるというものである。
【００２３】
比較回路６から出力された波形調整パルスＳ５の電気信号は、ＮＯＴ回路７１で反転されて前記２つの電界効果トランジスタ７０Ａ、７０Ｂのゲート端子Ｇ、Ｇに同時に入力される。従って、波形調整パルスＳ５の電気信号がハイレベルとなっている間は、ＮＯＴ回路７１から２つの電界効果トランジスタ７０Ａ、７０Ｂのゲート端子Ｇ、Ｇに印加される電圧はいずれもローレベルになることから、この場合、前記２つの電界効果トランジスタ７０Ａ、７０ＢはいずれもＯＦＦとなり、そのＯＦＦ時間分すなわち前記波形調整パルスＳ５のハイレベルパルス幅分だけ、電源トランス２からパチンコ台Ｂへ供給される矩形波電圧の波形Ｓ１が図５（Ｅ）の波形Ｓ６のようにカットされるようになる。
【００２４】
この一方、前記波形調整パルスＳ５の電気信号がローレベルとなっている間は、ＮＯＴ回路７１から２つの電界効果トランジスタ７０Ａ、７０Ｂのゲート端子Ｇ、Ｇに印加される電圧がいずれもハイレベルのゲート電圧になり、当該２つの電界効果トランジスタ７０Ａ、７０ＢはいずれもＯＮとなるから、上記のように電源トランス２からパチンコ台Ｂへ供給される矩形波電圧の波形Ｓ１がカットされることはない。
【００２５】
ところで、上記のように構成された波形調整回路７において、電源トランス２からパチンコ台Ｂへ供給される矩形波電圧の波形Ｓ１がハイレベルであるときに、２つの電界効果トランジスタ７０Ａ、７０Ｂのゲート端子Ｇ、Ｇに同時にゲート電圧を印加すると、第１の電界効果トランジスタ７０Ａでは、周知の通りソース端子Ｓからドレイン端子Ｄの方向へ電流が流れ、第２の電界効果トランジスタ７０Ｂでは、ドレイン端子Ｄからソース端子Ｓの方向へ電流が流れるという現象と、前記矩形波電圧の波形Ｓ１がローレベルであるときに、前記２つの電界効果トランジスタ７０Ａ、７０Ｂのゲート端子Ｇ、Ｇに同時にゲート電圧を印加すると、第２の電界効果トランジスタ７０Ｂでは周知の通りソース端子Ｓからドレイン端子Ｄの方向へ電流が流れ、第１の電界効果トランジスタでは、ドレイン端子Ｄからソース端子Ｓの方向へ電流が流れるという現象が実験で確認された。このため、本実施形態では、ドレイン端子Ｄからソース端子Ｓの方向に電流を流す手段として電界効果トランジスタに接続して使用されるバイパス用ダイオードは、省略している。
【００２６】
次に、上記の如く構成された電源調整装置３を含むパチンコ台電力供給システム全体の動作について説明する。
【００２７】
図２のパチンコ台電力供給システムＳでは、交流安定化電源１から電源トランス２と電源調整装置３を介して各パチンコ台Ｂに電力を供給する。この際、パチンコ台Ｂにおいて比較的大電流を必要とする多数の電球Ｂ１が点滅する等、パチンコ台Ｂの消費電流が周期的または一時的に大きく変動すると、電源トランス２の容量が予め一定に固定されていることから、パチンコ台Ｂの消費電流の変動と同期して電圧降下が発生する。
【００２８】
ところで、上記のような電圧降下が発生すると、電源調整装置３では、その電圧降下量に応じて図５（Ｃ）に示すスレッシュホールド電圧Ｓ３のレベルがアップし、このアップ量に対応して図５（Ｃ）に示す波形調整パルスＳ５のパルス幅が短くなる。
【００２９】
そうすると、上記の如く波形調整パルスＳ５のパルス幅が短くなった分だけ、その波形調整パルスＳ５でカットされる波形、すなわち電源トランス２からパチンコ台Ｂへ供給される矩形波電圧の波形Ｓ１のカット量が減り、矩形波電圧のハイレベルとローレベルの１パルス分のパルス幅が長くなり、それだけ電圧降下前より多めに電源トランス２からパチンコ台Ｂへ電流が供給されるようになり、パチンコ台Ｂへの電力供給が安定する。
【００３０】
また、上記のような電圧降下がなくなると、今度は前記スレッシュホールド電圧Ｓ３が下がるため、前記波形調整パルスＳ５のパルス幅が長くなる。そして、この長いパルス幅分だけ前記矩形波電圧の波形Ｓ１のパルス幅がカットされるので、電源トランス２の電圧降下がなくなった直後から直ちにパチンコ台Ｂへ供給される矩形波電圧の波形のパルス幅は電圧降下前の元の長さに戻り、パチンコ台Ｂへの電流供給量が電圧降下前の定常状態に復帰する。
【００３１】
ところで、交流安定化電源１が故障する場合も想定される。この場合、電源調整装置３ではスレッシュホールド電圧Ｓ３のレベルがノコギリ波Ｓ４を越えるようになるため、波形調整パルスＳ５は生成されず、電源トランス２で降圧されたサイン波形のＡＣ２６Ｖによりパチンコ台Ｂへの電力供給がなされる。よって、ＡＣ２５Ｖで使用されるパチンコ台Ｂに過剰な電力が供給されることはなく、交流安定化電源１が修復されるまで通常通りにパチンコ台Ｂを稼動させることができる。
【００３２】
前記実施形態では、本発明に係る電源調整装置をパチンコ台電力供給システムに組み込んだ例について説明したが、本発明に係る電源調整装置は、スロット台等、パチンコ台以外の遊技機に電力を供給するシステムで使用することもできる。
【図面の簡単な説明】
【００３３】
【図１】請求項１の発明に対応するクレーム対応図。
【図２】本発明の一実施形態である電源調整装置を組み込んだパチンコ台電力供給システムの説明図。
【図３】図２の電源調整装置の回路図。
【図４】図２の電源調整装置の回路図
【図５】図２の電源調整装置の動作説明図
【図６】従来のパチンコ台電力供給システムの説明図。
【符号の説明】
【００３４】
１  交流安定化電源
２  電源トランス
３  電源調整装置
４  スレッシュホールド生成回路
４Ａ  トランス
４Ｂ  ブリッジダイオード
４Ｃ  シャントレギュレータ
４Ｄ  フォトカプラ
５  波形生成回路
５Ａ  コンデンサ
５Ｂ  急速ディスチャージ用ダイオード
５Ｃ  トランス
５Ｄ  ブリッジダイオード
６  比較回路
７  波形調整回路
７０Ａ、７０Ｂ  電界効果トランジスタ
７１  ＮＯＴ回路
Ａ  島
Ｂ  パチンコ台
Ｂ１  電球
Ｌ  電力供給ライン
Ｌ１  主ライン
Ｌ２、Ｌ３  分岐ライン
Ｓ  パチンコ台電力供給システム
Ｓ１  ２６Ｖ供給電圧の波形
Ｓ３  スレッシュホールド電圧
Ｓ４  ノコギリ波
Ｓ５  波形調整パルス
【図１】
2007167315.tif 000003
【図２】
2007167315.tif 000004
【図３】
2007167315.tif 000005
【図４】
2007167315.tif 000006
【図５】
2007167315.tif 000007
【図６】
2007167315.tif 000008
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
遊技機と、該遊技機に対して交流安定化電源からの矩形波電圧を降圧して供給する電源トランスとの間に接続される電源調整装置であって、
前記電源調整装置は、
前記電源トランスの電圧降下量に応じて電圧レベルがアップする構成のスレッシュホールド電圧を生成するスレッシュホールド生成手段と、
前記スレッシュホールド電圧の電気信号と比較されるノコギリ波または三角波からなる比較波を生成する比較波生成手段と、
前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段と、
前記電源トランスから遊技機へ供給される前記矩形波電圧の波形を、前記波形調整パルスのパルス幅分だけカットする波形調整手段とを備えること
を特徴とする電源調整装置。
【請求項２】
前記電源調整装置は、前記電源トランスの２次コイルに接続される入力端子と遊技機に接続される出力端子とを結ぶ主ラインを有し、
前記スレッシュホールド生成手段は、前記主ラインの出力端子側の出力電圧をトランスとブリッジダイオードで整流し、この整流された出力電圧を基に、シャントレギュレータとフォトカプラとで、スレッシュホールド電圧を生成する回路で構成されること
を特徴とする請求項１に記載の電源調整装置。
【請求項３】
前記比較波生成手段で生成される比較波は、コンデンサのチャージと急速ディスチャージ用ダイオードとにより形成されるノコギリ波であること
を特徴とする請求項１に記載の電源調整装置。
【請求項４】
前記遊技機はパチンコ台であること
を特徴とする請求項１に記載の電源調整装置。
【請求項５】
交流安定化電源からの出力電圧を電源トランスで降圧して遊技機へ供給する遊技機電力供給システムにおいて、
前記電源トランスから前記パチンコ台への電力供給ラインの途中に、電源調整装置を接続し、
前記電源調整装置は、
前記電源トランスの電圧降下量に応じて電圧レベルがアップする構成のスレッシュホールド電圧を生成するスレッシュホールド生成手段と、
前記スレッシュホールド電圧の電気信号と比較されるノコギリ波または三角波からなる比較波を生成する比較波生成手段と、
前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段と、
前記電源トランスから遊技機へ供給される前記矩形波電圧の波形を、前記波形調整パルスのパルス幅分だけカットする波形調整手段とを備えること
を特徴とする遊技機電力供給システム。
【手続補正２】
【補正対象書類名】明細書
【補正対象項目名】０００６
【補正方法】変更
【補正の内容】
【０００６】
上記目的を達成するために、図１のクレーム対応図に示した通り、本発明の電源調整装置は、遊技機と、該遊技機に対して交流安定化電源（１）からの矩形波電圧を降圧して供給する電源トランス（２）との間に接続される電源調整装置（３）であって、前記電源調整装置（３）は、前記電源トランスの電圧降下量に応じて電圧レベルがアップする構成のスレッシュホールド電圧を生成するスレッシュホールド生成手段（３０１）と、前記スレッシュホールド電圧の電気信号と比較されるノコギリ波または三角波からなる比較波を生成する比較波生成手段（３０２）と、前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段（３０３）と、前記電源トランスから遊技機へ供給される前記矩形波電圧の波形を、前記波形調整パルスのパルス幅分だけカットする波形調整手段（３０４）とを備えることを特徴とするものである。
【手続補正３】
【補正対象書類名】明細書
【補正対象項目名】００１１
【補正方法】変更
【補正の内容】
【００１１】
また、上記目的を達成するために、本発明の遊技機電力供給システムは、交流安定化電源からの出力電圧を電源トランスで降圧して遊技機へ供給する遊技機電力供給システムにおいて、前記電源トランスから前記パチンコ台への電力供給ラインの途中に、電源調整装置を接続し、前記電源調整装置は、前記電源トランスの電圧降下量に応じて電圧レベルがアップする構成のスレッシュホールド電圧を生成するスレッシュホールド生成手段と、前記スレッシュホールド電圧の電気信号と比較されるノコギリ波または三角波からなる比較波を生成する比較波生成手段と、前記スレッシュホールド電圧の電気信号と前記比較波の電気信号とを比較し、比較の結果として、前記スレッシュホールド電圧のレベルで前記比較波をスライスしたときのスライス幅に相当する長さのパルスを波形調整パルスとして出力する比較手段と、前記電源トランスから遊技機へ供給される前記矩形波電圧の波形を、前記波形調整パルスのパルス幅分だけカットする波形調整手段とを備えることを特徴とするものである。